(57)【要約】      （修正有）【課題】鉄塔上での作業時に足場が無くなるなどの作業制限や安全上の不安が無く、設置や維持のための労力やコストを低減できる営巣防止具とその設置方法を提供する。【解決手段】鉄塔の主柱材の塔体内部平坦部に、鉛直上向き方向に突出を有する鋼材を設置することにより、カラスの営巣材は鋼材の突出部によって傾斜するため、営巣材の配置が不安定となって営巣が困難となる。また、鋼材を用いるため容易に変形しないので足場として利用が可能であり、作業スペースの支障とならない。さらに回転部品などが無いため、疲労破壊が生じないので特別な点検が不要となる。【選択図】図１
2014030400.tif 000002
【特許請求の範囲】
【請求項１】
鉄塔に用いる営巣防止具であって、主柱材の塔体内平坦部に、鉛直上向き方向に突出部を有する鋼材を設置したことを特徴とする営巣防止具。
【請求項２】
前記鉛直上向き方向に突出部を有する鋼材は山形鋼であることを特徴とする請求項１記載の営巣防止具。
【請求項３】
鉄塔に用いる営巣誘導方法であって、鉄塔の腕金部より上部の主柱材の塔体内平坦部には鉛直上向き方向に突出部を有する鋼材を設置することにより、鉄塔の腕金部より下部の主柱材の塔体内平坦部にカラスの営巣を誘導する方法
【発明の詳細な説明】
【技術分野】
【０００１】
本発明は鉄塔におけるカラスの営巣防止具に関する。    
【背景技術】
【０００２】
カラスは繁殖期になると、鉄塔の塔上に営巣する場合がある。その営巣材料は小枝や枯れ草、ハンガー、針金などが利用される。カラスが営巣の際に、こうした営巣材料が落下すると鉄塔付近の住人の方々の迷惑になる場合がある。また、充電部の上部では落下した営巣材料によって絶縁破壊が生じて電気事故が生じる場合がある。
【０００３】
このような事態を防ぐために種々の営巣防止具が考案されている。例えば引用文献１のように整形可能な剛体よりなる複数本のロッドの一端側を束ねたものを放射状に開いて鉄塔部材上の営巣スペースを排除するものがある。
【０００４】
また、引用文献２のように鉄塔部材へ装着可能で突出軸を有する取付金具と、この突出軸へ回転可能に軸支され等角度にアームを突出させた回転体に風受板を設け、この風受板にテープを自由垂下したものがある。
【先行技術文献】
【特許文献】
【０００５】
【特許文献１】公開実用新案公報  昭６１−２０１７７号
【特許文献２】公開実用新案公報  平３−３１８７４号
【発明の概要】
【発明が解決しようとする課題】
【０００６】
特許文献１の方法によれば、営巣スペースが物理的に制限される反面、作業時の足場が不足して安全上問題となる。また、作業員が営巣防止材にあたって怪我をする恐れがあった。
また、引用文献２の方法によれば、引用文献１の課題に加えて、回転部品を有するために疲労振動により回転部の破損が生じて部品が脱落する恐れがある。このため、定期的な点検が必要となり、維持のための労力がかかってしまうという課題があった。
また、これらの営巣防止具の効果的な設置箇所に関する知見が無かったことから、営巣防止具を多数設置することとなり、設置費用や点検費用、取替費用などのコストが高額であった。
【０００７】
本発明では鉄塔状での作業時に足場が無くなるなどの作業制限や安全上の不安が無く、設置や維持のための労力やコストを低減できる営巣防止具とその設置方法を提供する。
【課題を解決するための手段】
【０００８】
請求項１の発明は、鉄塔に用いる営巣防止具であって、主柱材の塔体内平坦部に、鉛直上向き方向に突出部を有する鋼材を設置したことを特徴とする。
従って、カラスの営巣材は鋼材の突出部によって傾斜するため、営巣材の配置が不安定となって営巣が困難となる。また、鋼材を用いるため容易に変形しないので足場として利用が可能であり、作業スペースの支障とならない。さらに回転部品などが無いため、疲労破壊が生じないので特別な点検が不要となる。
【０００９】
請求項２の発明は、前記鉛直上向き方向に突出部を有する鋼材は山形鋼であることを特徴とする。
従って、耐久性が鉄塔本体部品と同等となり、本体と同時に点検が可能となり、また修理も不要となる。
【００１０】
請求項３の発明は、鉄塔に用いる営巣誘導方法であって、鉄塔の腕金部より上部の主柱材の塔体内平坦部には鉛直上向き方向に突出部を有する鋼材を設置することにより、鉄塔の腕金部より下部の主柱材の塔体内平坦部にカラスの営巣を誘導することを特徴とする。
従って、ひな鳥の充電部接近による感電災害や親鳥が営巣材を構築する際の営巣材により事故の発生を抑制することが出来る。
【発明の効果】
【００１１】
本発明によれば、作業制限や安全上の不安が無く、設置や維持のための労力やコストの低減が可能となる。
【図面の簡単な説明】
【００１２】
【図１】本発明の営巣防止具の設置例
【図２】鉄塔の上部構造
【図３】腕金部の位置での鉄塔の平面構造
【図４】図３の詳細構造
【図５】図４のＢ方向の矢視図
【図６】図４のＣ方向の矢視図
【図７】主柱材１ａ、１ｃの塔体内部の詳細構造
【実施例】
【００１３】
以下に本発明における実施例を説明する。図２に鉄塔の上部構造を示す。鉄塔１０は４脚の主柱材１やその他の構成部材から成る。また、上部には電線を把持するための腕金部１１がある。カラスは鉄塔の上部に営巣を行う習性があり、発明者による鉄塔２４０基の調査では、鉄塔の腕金部１１より下部に営巣があった例はわずか５基であり、９８％が腕金材１１のある位置より上部に成されていた。
【００１４】
次ぎに上部構造部において、どのような位置に営巣が多いかについて説明する。図３に図２のＡ−Ａ断面、つまり腕金部１１位置での鉄塔の平面構造を示す。この平面構造において主柱材１ａ、１ｂ、１ｃ、１ｄに囲まれた部分（以下塔体内という）への営巣と腕金部１１への営巣数について発明者らが２４０基の鉄塔について調査をした結果、塔体内への営巣数は１９６基、腕金部１１への営巣数は１０基、その他箇所への営巣が３４基という結果であった。つまり、塔体内への営巣が多くを占めていた。
【００１５】
さらに塔体内における営巣位置について説明する。図３の塔体内における点線の円は、営巣が発見された位置を示す。円の大きさは営巣数を感覚的に示したものであり、円が大きいほど営巣数が多いことを意味している。この図から、主柱材１ａ、１ｃの営巣数が多いことがわかる。具体的には主柱材１ａ、１ｃへの営巣基数合計は１２０、一方主柱材１ｂ、１ｄの営巣基数合計は２９であり、４倍もの差がある。また、塔体内中央部への営巣数は４７であった。
なお、ここで主柱材１ａ、１ｂ、１ｃ、１ｄの配置は主柱材１ａ、１ｂで結んだ面は電源側、主柱材１ｃ、１ｄで結んだ面は負荷側として定めたものである。
【００１６】
整理すると、鉄塔におけるカラスの営巣はその殆ど腕金材の位置より高い位置で、塔体内に営巣を行い、１ａ、１ｃ脚付近へ営巣しやすい傾向がある。発明者らは営巣の多い箇所が生じる理由は以下のように鉄塔部材の製作上の基準によるものであると考えた。以下、この内容について説明する。
【００１７】
塔体内の詳細構造を図４に示す。塔体内には対角材２があり、主柱材１ａと１ｃ間に連結する対角材２と、主柱材１ｂと１ｄに連結する対角材２は、各々山形材で構成される。このため、対角材２どうしの交差部（中央部）では山形材の平面部で交差するように構成している。この際、鉄塔部材の製作上の基準から、主柱材１ａと１ｃ間とを連結する対角材２はその断面がＬ字を逆さにしたような状態となる。つまり、山形材の突出部が鉛直下向き方向となる。また、主柱材１ｂと１ｄ間を連結する対角材２はその断面がＬ字状となっており、山形材の突出部が鉛直上向き方向となる。従って、鉛直上向き方向に突出部が無く平坦な面を有する主柱材１ａと１ｃ間に連結する対角材２においては、カラスが営巣材を置いた場合に営巣材が脱落しにくい。
【００１８】
一方、主柱材１ｂと１ｄに連結する対角材２は、図５（図４のＢ方向の矢視図である）に示すとおり鉛直上向き方向に突出部があるため、カラスが営巣材３を置いた場合に傾斜が生じ不安定となって脱落しやすい。
【００１９】
次に主柱材１ｂと１ｄの塔体内の詳細図を図６に示す。図６は図４のＣ方向の矢視図であり、１ｄの塔体内の詳細図である。１ｂの塔体内部位も同様の構造であるため、代表して主柱材１ｄ側で説明する。
主柱材１ｄには、対角材２及び水平材６を主柱材に固定するための部材連結用プレート５が取り付けられる。先述のとおり、対角材２の他端は主柱材１ｂ側に同様に連結される。また、水平材６は隣接する主柱材１ａと連結されている。ところで、先述のとおり、この部材連結用プレート５は平坦な部材であり、特に営巣されやすい部位であるが、対角材２の突出部があるため、平坦なスペースが限定的になっている。
【００２０】
これに対して図７に示す主柱材１ｃ側（主柱材１ａ側も同様）の塔体内の詳細構造では、部材連結用プレート５は全面が平坦となっており、営巣材３を安定して位置させることが容易であった。
【００２１】
発明者らが、この点に着目し主柱材１ａ、１ｃの塔体内平坦部に営巣防止を目的とした障害物を設置したところ、営巣基数は従来の４分の３となった。残り４分の１は主柱材１ｂ、１ｄの塔体内平坦部と同等の基数であるが、営巣材は木の枝やハンガーなど屈曲したものも用いられるため、部材に引っかかりやすい形状のものが中には含まれていることから営巣が完成する場合もあるものと考えられる。
【００２２】
本発明では、このような平坦部材に図１に示すような鉛直上向き方向に突出を有する鋼材を設置し、営巣防止具とする。従って、突出部によって生じる傾斜によりカラスは営巣がしにくくなり、この結果、カラスの営巣を抑制することが可能となる。
【００２３】
突出部を有する鋼材は平坦部にカラスが営巣材を設置する際に支障となるような傾斜を生じさせるものであれば、例えば逆Ｔ字状のものを設置しても良く、Ｌ字状の部材であれば鉄塔構成部材の山形鋼を利用しても良い。
【００２４】
本発明では鋼材を営巣防止具として利用するため、容易に変形しないので作業足場として利用しても破損の恐れが無く、作業スペースの支障が無い上、風などによる疲労振動破壊も無い。また、山形鋼を利用すれば本体である鉄塔点検の際に点検を行えば良く、市販品のようにその破損モードを考慮した短い周期での特別な点検を行う必要が無い。
鉄塔に用いる営巣防止具であって、主柱材の塔体内平坦部に、鉛直上向き方向に突出部を有する鋼材を設置したことを特徴とする。
【００２５】
また、このような営巣防止具を、例えば鉄塔上部に設置し、電線位置より低い腕金部以下の鉄塔下部は従来とおりの構造とすることにより、カラスの営巣箇所を下部に誘導することが出来る。このため、ひな鳥の充電部接近による感電災害や親鳥が営巣材を構築する際の営巣材による地絡事故の発生を抑制することが出来る。
以上により、作業制限や安全上の不安が無く、設置や維持のための労力やコストを低減できるカラスの営巣防止や抑制が可能となる。
【産業上の利用可能性】
【００２６】
本発明によれば鉄塔におけるカラスの営巣防止または抑制が可能となる。
【符号の説明】
【００２７】
１・・・主柱材、
２・・・対角材
３・・・営巣材
４・・・水平材
５・・・部材連結用プレート
６・・・水平材
７・・・営巣防止材
１０・・・鉄塔
１１・・・腕金材
【図１】
2014030400.tif 000003
【図２】
2014030400.tif 000004
【図３】
2014030400.tif 000005
【図４】
2014030400.tif 000006
【図５】
2014030400.tif 000007
【図６】
2014030400.tif 000008
【図７】
2014030400.tif 000009